(57)【要約】【課題】フォーカス制御を精度良く安定して行うことができる光ディスク装置を提供する。【解決手段】所定位置に光ディスクがセットされると、ＡＧＣ回路に対してモード３が指示され（ステップ４０１）、フォーカスエラー信号を検出する回路が最適化され（ステップ４０３〜４１５）、フォーカス制御が行われる（ステップ４１７）。この場合には、信号Ｓsumの信号レベルに関係なくＡＧＣ回路におけるゲインが設定され、受光器の複数の受光領域の出力信号に基づいてフォーカスエラー信号演算アンプで生成された信号Ｓfocusは、ＡＧＣ回路にてデフォルトのゲインで増幅されることとなる。これにより、フォーカスエラー信号を検出する回路が、誤った信号をフォーカスエラー信号として検出することを防止できる。【選択図】図６
2007042187.tif 000002
【特許請求の範囲】
【請求項１】
所定位置にセットされた光ディスクに対する情報の記録、再生及び消去のうち少なくとも１つが可能であり、フォーカスエラー信号を増幅するＡＧＣ回路を有する光ディスク装置において、
前記ＡＧＣ回路は、そのゲインに関して、予め設定されているゲインに固定する設定を含む複数の設定が可能であり、
前記ＡＧＣ回路は、前記所定位置に光ディスクがセットされると、そのゲインが前記予め設定されているゲインに固定されることを特徴とする光ディスク装置。
【請求項２】
前記ＡＧＣ回路のゲインが前記予め設定されているゲインに固定された状態で、前記対物レンズが合焦位置に位置決めされると、
前記ＡＧＣ回路のゲインは、前記光ディスクで反射された光から得られる複数の信号の和信号に応じたゲインに変更されることを特徴とする請求項１に記載の光ディスク装置。
【請求項３】
前記ＡＧＣ回路のゲインが前記和信号に応じたゲインに変更された後、予め設定されている時間が経過すると、
前記ＡＧＣ回路は、そのときのゲインをホールドすることを特徴とする請求項２に記載の光ディスク装置。
【請求項４】
前記予め設定されている時間は、前記ＡＧＣ回路の整定時間であることを特徴とする請求項３に記載の光ディスク装置。
【請求項５】
前記ＡＧＣ回路のゲインがホールドされた状態で、前記対物レンズが合焦位置に位置決めされると、
前記ＡＧＣ回路のゲインは、前記光ディスクで反射された光から得られる複数の信号の和信号に応じたゲインに変更されることを特徴とする請求項３又は４に記載の光ディスク装置。
【発明の詳細な説明】
【技術分野】
【０００１】
本発明は、光ディスク装置に係り、さらに詳しくは、光ディスクに対する情報の記録、再生、及び消去のうち少なくとも一つが可能な光ディスク装置に関する。
【背景技術】
【０００２】
近年、デジタル技術の進歩及びデータ圧縮技術の向上に伴い、音楽、映画、写真及びコンピュータソフトなどの情報を記録するための情報記録媒体として、ＣＤ（compact disc）やＤＶＤ（digital versatile disc）などの光ディスクが注目されるようになり、その低価格化とともに、光ディスクに対して情報の記録、再生、及び消去などを行う光ディスク装置が普及するようになった。
【０００３】
この光ディスク装置では、所定位置にセットされた光ディスクの記録面にレーザ光の微小スポットを形成することにより情報の記録を行い、記録面からの反射光に基づいて情報の再生などを行っている。この光ディスク装置は、光ディスクの記録面にレーザ光を集光するとともに、記録面からの反射光を受光する、光ピックアップ装置を有している。
【０００４】
通常、光ピックアップ装置は、対物レンズを含み、光源から出射された光を光ディスクの記録面に導くとともに、記録面で反射された戻り光を所定の受光位置まで導く光学系、前記受光位置に配置された光検出器、及び対物レンズをその光軸方向（以下、「フォーカス方向」ともいう）に駆動するためのレンズ駆動装置などを備えている。そして、光検出器からは、記録面に記録されているデータの再生情報だけでなく、対物レンズの位置制御に必要な情報（サーボ情報）を含む信号が出力される。
【０００５】
光ディスク装置は、記録及び再生中に、光検出器の出力信号からフォーカスエラー信号を検出し、該フォーカスエラー信号に基づいて、フォーカス外れが生じないように、レンズ駆動装置を介してフォーカス方向に関する対物レンズの位置を随時制御している。このサーボ制御は、フォーカス制御とも呼ばれ、記録及び再生を精度良く行うのに非常に重要である。
【０００６】
対物レンズをフォーカス方向に所定の範囲内で移動させると、フォーカスエラー信号は、合焦位置に対応する信号レベル（以下、「合焦レベル」ともいう）を中央レベルとしてＳ字状に変化する。これは、Ｓ字カーブ信号とも呼ばれている。すなわち、デフォーカス量が大きくなるにつれて合焦レベルとの差分が大きくなる。そこで、フォーカス制御では、フォーカスエラー信号の信号レベルが合焦レベルとほぼ一致するように、レンズ駆動装置を介して対物レンズの位置がサーボ制御される。
【０００７】
また、情報を記録・再生しているときに、欠陥などにより光検出器の出力信号が乱れたり、光源の発光パワーの変化によって、光検出器の出力信号の信号振幅が変化することがある。そこで、フォーカスエラー信号を安定化させるために、光検出器の出力信号の総和信号に応じてフォーカスエラー信号のゲインを自動的に切り替える自動利得制御回路（以下、「ＡＧＣ回路」という）を用いることが提案された（特許文献１参照）。
【０００８】
ところで、例えばフォーカスエラー信号を検出する際に、光ディスクの保護層（一般的な光ディスクでは、ポリカーボネイトで形成された層）の表面で反射された光（以下、「表面反射光」ともいう）が光検出器で受光されると、保護層における反射率の変動などに起因してフォーカスエラー信号に類似したＳ字カーブ信号が得られることがある。この場合には、ＡＧＣ回路のゲインが誤って設定され、フォーカス制御における合焦位置を誤ったり、保護層にフォーカスサーボをかけてしまうおそれがある。
【０００９】
【特許文献１】特許第３５４５６０４号公報
【発明の開示】
【発明が解決しようとする課題】
【００１０】
本発明は、かかる事情の下になされたもので、その目的は、フォーカス制御を精度良く安定して行うことができる光ディスク装置を提供することにある。
【課題を解決するための手段】
【００１１】
請求項１に記載の発明は、所定位置にセットされた光ディスクに対する情報の記録、再生及び消去のうち少なくとも１つが可能であり、フォーカスエラー信号を増幅するＡＧＣ回路を有する光ディスク装置において、前記ＡＧＣ回路は、そのゲインに関して、予め設定されているゲインに固定する設定を含む複数の設定が可能であり、前記ＡＧＣ回路は、前記所定位置に光ディスクがセットされると、そのゲインが前記予め設定されているゲインに固定されることを特徴とする光ディスク装置である。
【００１２】
これによれば、所定位置に光ディスクがセットされると、フォーカスエラー信号は、ＡＧＣ回路では予め設定されているゲインで増幅されることとなる。そこで、例えば、予め設定されているゲインとして、シミュレーションや理論計算などから得られた設計上のゲインを用いると、誤った信号をフォーカスエラー信号として検出することを防止できる。従って、その結果として、フォーカス制御を精度良く安定して行うことが可能となる。
【００１３】
この場合において、請求項２に記載の光ディスク装置の如く、前記ＡＧＣ回路のゲインが前記予め設定されているゲインに固定された状態で、前記対物レンズが合焦位置に位置決めされると、前記ＡＧＣ回路のゲインは、前記光ディスクで反射された光から得られる複数の信号の和信号に応じたゲインに変更されることとすることができる。
【００１４】
この場合において、請求項３に記載の光ディスク装置の如く、前記ＡＧＣ回路のゲインが前記和信号に応じたゲインに変更された後、予め設定されている時間が経過すると、前記ＡＧＣ回路は、そのときのゲインをホールドすることとすることができる。
【００１５】
この場合において、請求項４に記載の光ディスク装置の如く、前記予め設定されている時間は、前記ＡＧＣ回路の整定時間であることとすることができる。
【００１６】
上記請求項３及び４に記載の各光ディスク装置において、請求項５に記載の光ディスク装置の如く、前記ＡＧＣ回路のゲインがホールドされた状態で、前記対物レンズが合焦位置に位置決めされると、前記ＡＧＣ回路のゲインは、前記光ディスクで反射された光から得られる複数の信号の和信号に応じたゲインに変更されることとすることができる。
【発明を実施するための最良の形態】
【００１７】
以下、本発明の一実施形態を図１〜図７に基づいて説明する。図１には、本発明の一実施形態に係る光ディスク装置２０の概略構成が示されている。
【００１８】
この図１に示される光ディスク装置２０は、光ディスク１５を回転駆動するスピンドルモータ２２、光ピックアップ装置２３、該光ピックアップ装置２３をスレッジ方向に駆動するシークモータ２１、レーザ制御回路２４、エンコーダ２５、モータ制御回路２６、ＰＵ制御回路２７、再生信号処理回路２８、バッファＲＡＭ３４、バッファマネージャ３７、インターフェース３８、フラッシュメモリ３９、ＣＰＵ４０及びＲＡＭ４１などを備えている。なお、図１における接続線は、代表的な信号や情報の流れを示すものであり、各ブロックの接続関係の全てを表すものではない。また、光ディスク装置２０は、一例としてＤＶＤに対応可能であるものとする。
【００１９】
前記光ピックアップ装置２３は、光ディスク１５のスパイラル状又は同心円状のトラックが形成された記録面にレーザ光を照射するとともに、その記録面からの反射光を受光するための装置である。この光ピックアップ装置２３は、波長が約６６０ｎｍのレーザ光を出射する光源、該光源からの光を記録面に集光する対物レンズ、記録面で反射され対物レンズを介した戻り光を受光する受光器、対物レンズの位置を検出するポジションセンサ及び対物レンズを微小駆動する駆動系（いずれも図示省略）などを備えている。
【００２０】
なお、前記受光器は、一例として図２に示されるように、４つの受光領域（ＰＤａ、ＰＤｂ、ＰＤｃ、ＰＤｄ）を有し、各受光領域は、それぞれ受光光量に応じた信号（光電変換信号）を再生信号処理回路２８に出力する。
【００２１】
また、駆動系は、対物レンズをフォーカス方向に駆動するためのフォーカシングアクチュエータ、及び対物レンズをトラッキング方向に駆動するためのトラッキングアクチュエータを有している。
【００２２】
前記再生信号処理回路２８は、Ｉ／Ｖアンプ２８ａ、サーボ信号検出回路２８ｂ、ウォブル信号検出回路２８ｃ、ＲＦ信号検出回路２８ｄ、及びデコーダ２８ｅなどから構成されている。
【００２３】
前記Ｉ／Ｖアンプ２８ａは、一例として図３に示されるように、４つのアンプ（ＩＶａ、ＩＶｂ、ＩＶｃ、ＩＶｄ）を有している。アンプＩＶａは、受光領域ＰＤａの出力信号を電圧信号に変換するとともに、所定のゲインで増幅する。アンプＩＶｂは、受光領域ＰＤｂの出力信号を電圧信号に変換するとともに、所定のゲインで増幅する。アンプＩＶｃは、受光領域ＰＤｃの出力信号を電圧信号に変換するとともに、所定のゲインで増幅する。アンプＩＶｄは、受光領域ＰＤｄの出力信号を電圧信号に変換するとともに、所定のゲインで増幅する。なお、アンプＩＶａから出力される電圧信号をＶａ、アンプＩＶｂから出力される電圧信号をＶｂ、アンプＩＶｃから出力される電圧信号をＶｃ、アンプＩＶｄから出力される電圧信号をＶｄとする。
【００２４】
前記サーボ信号検出回路２８ｂは、Ｉ／Ｖアンプ２８ａの出力信号に基づいてフォーカスエラー信号及びトラックエラー信号などのサーボ信号を検出する。一例として図４に示されるように、このサーボ信号検出回路２８ｂにおけるフォーカスエラー信号を検出する回路２８０は、フォーカスエラー信号演算アンプ２８１、２つのＤＡコンバータ（２８２、２８９）、総和信号演算アンプ２８３、２つの振幅調整回路（２８４、２８６）、差動アンプ２８５、ＡＧＣ回路２８７、及び振幅検出回路２８８などを有している。なお、ここでは、フォーカスエラー信号は、一例として非点収差法によって検出されるものとする。
【００２５】
フォーカスエラー信号演算アンプ２８１は、Ｉ／Ｖアンプ２８ａの出力信号に対して（Ｖａ＋Ｖｃ）−（Ｖｂ＋Ｖｄ）の演算を行う。
【００２６】
ＤＡコンバータ２８２は、ＣＰＵ４０からのオフセット除去信号Ｓoffsをアナログ信号に変換する。
【００２７】
差動アンプ２８５は、フォーカスエラー信号演算アンプ２８１の出力信号からＤＡコンバータ２８２の出力信号を減算し、フォーカスエラー信号演算アンプ２８１の出力信号に含まれるオフセット成分を除去する。
【００２８】
総和信号演算アンプ２８３は、Ｉ／Ｖアンプ２８ａの出力信号に対して（Ｖａ＋Ｖｂ＋Ｖｃ＋Ｖｄ）の演算を行う。
【００２９】
振幅調整回路２８４は、ＣＰＵ４０からのゲイン設定信号Ｓmod1に応じて差動アンプ２８５の出力信号の振幅を調整する。
【００３０】
振幅調整回路２８６は、ＣＰＵ４０からのゲイン設定信号Ｓmod2に応じて総和信号演算アンプ２８３の出力信号の振幅を調整する。
【００３１】
振幅検出回路２８８は、ＡＧＣ回路２８７の出力信号（フォーカスエラー信号）ＦＥの振幅、及び振幅調整回路２８６の出力信号Ｓsumの振幅をそれぞれ検出し、検出信号ＳwidthとしてＣＰＵ４０に通知する。
【００３２】
ＤＡコンバータ２８９は、ＣＰＵ４０からのゲイン設定信号Ｓgainをアナログ信号に変換する。
【００３３】
ＡＧＣ回路２８７は、振幅調整回路２８６の出力信号Ｓsum、ＤＡコンバータ２８９の出力信号、回路動作選択信号Ｓsel、及びＡＧＣホールド信号Ｓholdに基づいて、振幅調整回路２８４の出力信号Ｓfocusを増幅及び正規化し、フォーカスエラー信号ＦＥとしてサーボ制御回路２７に出力する。本実施形態では、一例としてＡＧＣ回路２８７の動作には３種類のモード（モード１、２、３とする）があり、そのうちのいずれかがＣＰＵ４０から選択されるようになっている（図５参照）。
【００３４】
モード１は、Ｓsel＝１に対応し、通常のＡＧＣ回路の動作と同様に、振幅調整回路２８６の出力信号Ｓsumが予め設定されている信号レベルとなるように、ＡＧＣ回路２８７のゲインが設定される。
【００３５】
モード２は、Ｓsel＝２に対応し、ＡＧＣホールド信号Ｓholdがオン（on）のときは、振幅調整回路２８６の出力信号Ｓsumに関係なく、そのときのゲインをホールドする。
【００３６】
モード３は、Ｓsel＝３に対応し、ゲイン設定信号Ｓgainで指定されたゲインが設定される。
【００３７】
図１に戻り、前記ウォブル信号検出回路２８ｃは、Ｉ／Ｖアンプ２８ａの出力信号に基づいてウォブル信号を検出する。
【００３８】
前記ＲＦ信号検出回路２８ｄは、Ｉ／Ｖアンプ２８ａの出力信号に基づいてＲＦ信号を検出する。
【００３９】
前記デコーダ２８ｅは、前記ウォブル信号からアドレス情報、及び同期信号などを抽出する。アドレス情報は位置決めなどに用いられ、同期信号からは再生用クロック信号や記録用クロック信号などが生成される。
【００４０】
また、デコーダ２８ｅは、前記ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。そして、再生データは、セクタデータ毎にインターフェース３８を介してバッファＲＡＭ３４から上位装置９０に転送される。
【００４１】
前記ＰＵ制御回路２７は、ＡＣＴ制御回路２７ａ、及びＡＣＴ駆動回路２７ｂなどを有している。
【００４２】
ＡＣＴ制御回路２７ａは、フォーカス制御がオン状態のときに、前記フォーカスエラー信号に基づいてフォーカスずれを補正するための前記フォーカシングアクチュエータの制御信号を生成し、トラック制御がオン状態のときに、前記トラックエラー信号に基づいてトラックずれを補正するための前記トラッキングアクチュエータの制御信号を生成する。また、ＡＣＴ制御回路２７ａは、ＣＰＵ４０からの指示に基づいて前記フォーカシングアクチュエータの制御信号を生成する。なお、フォーカス制御及びトラック制御は、ＣＰＵ４０によってオン状態及びオフ状態のいずれかとされる。
【００４３】
ＡＣＴ駆動回路２７ｂは、ＡＣＴ制御回路２７ａからの各制御信号に応じて、光ピックアップ装置２３の各アクチュエータの駆動信号を生成し、光ピックアップ装置２３に出力する。
【００４４】
前記モータ制御回路２６は、ＣＰＵ４０の指示に基づいて、スピンドルモータ２２及びシークモータ２１をそれぞれ駆動制御する。
【００４５】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００４６】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加等を行ない、光ディスク１５への書き込み信号を生成する。
【００４７】
前記レーザ制御回路２４は、光ピックアップ装置２３の光源から出射されるレーザ光のパワーを制御する。例えば記録の際には、前記書き込み信号、記録条件、及び光源の発光特性などに基づいて光源の駆動信号が生成される。
【００４８】
前記インターフェース３８は、上位装置（例えば、パソコン）９０との双方向の通信インターフェースであり、ＡＴＡＰＩ（AT Attachment Packet Interface）、ＳＣＳＩ（Small Computer System Interface）、及びＵＳＢ（Universal Serial Bus）などの標準インターフェースに準拠している。
【００４９】
前記フラッシュメモリ３９には、ＣＰＵ４０にて解読可能なコードで記述された各種プログラム、記録条件及び光源の発光特性などが格納されている。
【００５０】
前記ＣＰＵ４０は、フラッシュメモリ３９に格納されているプログラムに従って上記各部の動作を制御するとともに、制御に必要なデータなどをＲＡＭ４１に保存する。
【００５１】
次に、上記のようにして構成された光ディスク装置２０における前記フォーカスエラー信号を検出する回路２８０の最適化について図６及び図７を用いて説明する。図６のフローチャートは、ＣＰＵ４０によって実行される一連の処理アルゴリズムに対応している。また、図７における「ＦＤＯ」は、ＡＣＴ駆動回路２７ｂから出力されるフォーカシングアクチュエータの駆動信号を示している。
【００５２】
光ディスク装置２０の所定位置に光ディスク１５がセットされ、前記フォーカスエラー信号を検出する回路２８０の最適化が必要になると、フラッシュメモリ３９に格納されている図６のフローチャートに対応するプログラムの先頭アドレスがＣＰＵ４０のプログラムカウンタにセットされ、最適化処理がスタートする。
【００５３】
最初のステップ４０１では、関連する各種設定の初期化を行う（図７のＴ１）。このときに、Ｓhold＝off、Ｓgain＝Ａ（デフォルト値）、Ｓsel＝３とする。すなわち、ＡＧＣ回路２８７の動作モードはモード３に設定される。また、Ｓmode1及びＳmode2にもデフォルト値がセットされる。
【００５４】
次のステップ４０３では、ＰＵ制御回路２７を介して対物レンズを、フォーカス方向に、所定の基準位置を中心とする所定の範囲内で移動させる（図７のＴ２〜Ｔ３）。
【００５５】
次のステップ４０５では、振幅検出回路２８８を介して信号Ｓsumの振幅を取得する。ここでは、ＡＧＣ回路２８７のゲインがデフォルトのゲイン（ここではゲインＡ）となっているので、光ディスク１５の表面に起因する偽のＳ字信号に誤ることなく振幅を正しく取得することができる。
【００５６】
次のステップ４０７では、信号Ｓsumの振幅が所定の振幅となるようにゲイン設定信号Ｓmod2を調整する。また、これに合わせてゲイン設定信号Ｓmod1も調整する。
【００５７】
次のステップ４０９では、信号Ｓsumの振幅に応じてＳgainを調整する。ここでは、Ｓgain＝Ｂとする。
【００５８】
次のステップ４１１では、再度、ＰＵ制御回路２７を介して対物レンズを、フォーカス方向に、前記範囲内で移動させる（図７のＴ４〜Ｔ５）。
【００５９】
次のステップ４１３では、振幅検出回路２８８を介して信号Ｓsumの振幅を取得する。ここでも、ＡＧＣ回路２８７のゲインがより適切なゲイン（ここではゲインＢ）となっているので、光ディスク１５の表面に起因する偽のＳ字信号に誤ることなく各振幅を正しく取得することができる。
【００６０】
次のステップ４１５では、信号Ｓsumの振幅が所定の振幅となるようにゲイン設定信号Ｓmod2を調整する。
【００６１】
次のステップ４１７では、フォーカス制御をオン状態にし、フォーカス引き込みを開始する（図７のＴ６）。ここでは、ＡＧＣ回路２８７のゲインが所定のゲイン（ここではゲインＢ）となっているので、光ディスク１５の表面に起因する偽のＳ字信号に誤ることなくフォーカス引き込みを正しく行うことができる。
【００６２】
次のステップ４１９では、Ｓsel＝１とする（図７のＴ７）。すなわち、ＡＧＣ回路２８７の動作モードをモード１に変更する。
【００６３】
次のステップ４２１では、タイマをスタートさせる。これにより、所定の時間毎に発生する割込み処理にてタイマのカウント値がカウントアップされる。
【００６４】
次のステップ４２３では、タイマのカウント値が所定の値になるのを待つ。タイマのカウント値が所定の値になるとここでの判断は肯定され、ステップ４２５に移行する（図７のＴ８）。なお、ここでは、一例として、ＡＧＣ回路２８７の整定時間よりも若干長い時間に対応する値を前記所定の値としている。
【００６５】
次のステップ４２５では、Ｓhold＝on、Ｓsel＝２とする。すなわち、ＡＧＣ回路２８７の動作モードをモード２に変更する。
【００６６】
次のステップ４２７では、フォーカス制御をオフ状態にし、フォーカスを外す（図７のＴ９）。
【００６７】
次のステップ４２９では、ゲイン設定信号Ｓmod1及びゲイン設定信号Smod2をデフォルト値に変更する（図７のＴ１０）。
【００６８】
次のステップ４３１では、ＰＵ制御回路２７を介して対物レンズを、フォーカス方向に、前記範囲内で移動させる（図７のＴ１１〜Ｔ１２）。
【００６９】
次のステップ４３３では、振幅検出回路２８８を介して信号ＦＥの振幅及び信号Ｓsumの振幅をそれぞれ取得する。
【００７０】
次のステップ４３５では、信号ＦＥの振幅及び信号Ｓsumの振幅がそれぞれ所定の振幅となるようにゲイン設定信号Ｓmod1及びゲイン設定信号Ｓmod2を調整する。
【００７１】
次のステップ４３７では、フォーカス制御をオン状態にし、フォーカス引き込みを開始する（図７のＴ１３）。
【００７２】
次のステップ４３９では、Ｓsel＝１とする（図７のＴ１４）。すなわち、ＡＧＣ回路２８７の動作モードをモード１に変更する。そして、最適化処理を完了する。
【００７３】
以上説明したように、本実施形態に係る光ディスク装置２０によると、所定位置に光ディスク１５がセットされると、ＡＧＣ回路２８７に対してモード３が指示される。ここでは、信号Ｓsumの信号レベルに関係なくＡＧＣ回路２８７におけるゲインが設定され、受光器の複数の受光領域の出力信号に基づいてフォーカスエラー信号演算アンプ２８１で生成された信号は、ＡＧＣ回路２８７にてデフォルトのゲインで増幅されることとなる。これにより、フォーカスエラー信号を検出する回路が、誤った信号をフォーカスエラー信号として検出することを防止できる。従って、フォーカス制御を精度良く安定して行うことが可能となる。
【００７４】
そして、フォーカス制御によって対物レンズが合焦位置に位置決めされると、ＡＧＣ回路２８７に対してモード１が指示され、ＡＧＣ回路２８７の整定時間よりも若干長い時間が経過すると、ＡＧＣ回路２８７に対してモード２が指示されている。これにより、ＡＧＣ回路２８７では、さらに適切なゲインが設定されることとなる。
【００７５】
さらに、ＡＧＣ回路２８７におけるゲインがホールドされている状態で、振幅調整回路２８４によって信号Ｓfocusの振幅及び信号Ｓsumの振幅が最適化された後、フォーカス制御がオン状態とされる。そして、対物レンズが合焦位置に位置決めされると、ＡＧＣ回路２８７に対してモード１が指示されている。すなわち、最適化された信号Ｓfocus及び信号ＳsumがＡＧＣ回路２８７に入力するため、ＡＧＣ回路２８７におけるゲインが異常な値に設定されるのを防止することができる。
【００７６】
また、ＡＧＣ回路２８７のゲインが複数のゲインから選択できる場合には、前記ゲイン設定信号Ｓgainは、前記複数のゲインから１つのゲインを選択する選択信号であっても良い。
【００７７】
なお、上記実施形態におけるＩ／Ｖアンプ２８ａは、光ピックアップ装置２３に設けられていても良い。そして、この場合に、前記フォーカスエラー信号演算アンプ２８１及び総和信号演算アンプ２８３の少なくとも一方が光ピックアップ装置２３に設けられていても良い。
【００７８】
また、上記実施形態では、前記フォーカスエラー信号を検出する回路２８０がアナログ信号回路の場合について説明したが、これに限らず、デジタル回路であっても良い。要するに、誤った信号をフォーカスエラー信号と認識するのを防止できれば良い。
【００７９】
また、上記実施形態では、情報の記録及び再生が可能な光ディスク装置について説明したが、これに限らず、情報の記録、再生及び消去のうち、少なくとも一つが可能な光ディスク装置であれば良い。
【００８０】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約６６０ｎｍの光束を発光する半導体レーザ及び波長が約７８０ｎｍの光束を発光する半導体レーザの少なくとも１つを更に備えていても良い。すなわち、光ディスク装置が互いに異なる規格に準拠した複数種類の光ディスクに対応する光ディスク装置であっても良い。
【００８１】
また、上記実施形態では、記録層が１つの場合について説明したが、いわゆる片面多層ディスクであっても良い。
【００８２】
また、光ディスク装置としては、ＤＶＤプレーヤ、及びＤＶＤレコーダであっても良い。
【産業上の利用可能性】
【００８３】
以上説明したように、本発明の光ディスク装置によれば、フォーカス制御を精度良く安定して行うのに適している。
【図面の簡単な説明】
【００８４】
【図１】本発明の一実施形態に係る光ディスク装置の構成を示すブロック図である。
【図２】図１における光ピックアップ装置の受光器を説明するための図である。
【図３】図１におけるＩ／Ｖアンプを説明するための図である。
【図４】図１におけるサーボ信号検出回路のフォーカスエラー信号を検出する回路を説明するための図である。
【図５】図４におけるＡＧＣ回路の動作モードを説明するための図である。
【図６】図４のフォーカスエラー信号を検出する回路の最適化処理を説明するためのフローチャートである。
【図７】図６の最適化処理を説明するためのタイミングチャートである。
【符号の説明】
【００８５】
１５…光ディスク、２０…光ディスク装置、２３…光ピックアップ装置、４０…ＣＰＵ、２８１…フォーカスエラー信号演算アンプ、２８３…総和信号演算アンプ、２８４…振幅調整回路、２８６…振幅調整回路、２８７…ＡＧＣ回路。
【図１】
2007042187.tif 000003
【図２】
2007042187.tif 000004
【図３】
2007042187.tif 000005
【図４】
2007042187.tif 000006
【図５】
2007042187.tif 000007
【図６】
2007042187.tif 000008
【図７】
2007042187.tif 000009